(57)【要約】テレビジョンシステムは、チューナ１、該チューナ１を制御するコントローラ２、及び該チューナ１からの同調された信号を受け、制御信号をコントローラに供給するステージ３を有しており、高速チューニングの間に、時間の無駄であるオートマチック・ファイン・チューニング信号を使用する。制御信号としてステージ３におけるフェーズロックループ３１からのロック信号５３を使用することで、チャネルがアクティブであるか否かに関する指示は、オートマチック・ファイン・チューニング信号よりもロック信号が非常に迅速に利用可能であるので、非常に迅速に得ることができる。更なる制御信号として同期発生器４からの同期信号５４を使用することで、更なる指示が得られる。高速チューニングモードでは、アクティブチャネル近くの周波数が検出され、ファイン・チューニングモードでは、チャネル周波数が識別される。基本的な考えによれば、ステージ３におけるフェーズロックループ３１から生じるロック信号は、チャネルがアクティブであるか否かに関する第一の指示を与えることができ、好ましくは、更に有利なことに、同期信号５４に基づいた第二の指示と組み合わせることができる。
2006502614.tif 000002
【特許請求の範囲】
【請求項１】
ビデオ信号を同調するためのチューナと、該チューナを制御するためのコントローラと、該チューナからの同調された信号を受信し、少なくとも１つの制御信号を該コントローラに供給するためのステージとを有するテレビジョンシステムであって、
該ステージはフェーズロックループを含み、該制御信号は、該フェーズロックループから生じるロック信号を含む、
ことを特徴とするテレビジョンシステム。
【請求項２】
該テレビジョンシステムは、該ステージから生じるビデオ信号を同期させ、該コントローラに少なくとも１つの同期信号を供給するための同期発生手段を有し、該コントローラは、該ロック信号に依存して、該同期信号であるか否かを考慮するためのスイッチを含む、
請求項１記載のテレビジョンシステム。
【請求項３】
該コントローラは、高速チューニングモードで、１以上のアクティブチャネル近くの１以上の周波数が検出されるように該チューナを制御し、該コントローラは、ファイン・チューニングモードで、１以上のチャネル周波数が識別されるように該チューナを制御する、
請求項２記載のテレビジョンシステム。
【請求項４】
該ステージは、ファイン・チューニング信号を更に含む該制御信号を該コントローラに供給するために中間周波ステージを含む、
請求項３記載のテレビジョンシステム。
【請求項５】
周波数テーブルに従って、多数のチャネルは予め定義されたチャネルである、
請求項４記載のテレビジョンシステム。
【請求項６】
該ロック信号は、該フェーズロックループにおける発振器の入力信号の交流電流の内容から導出されるフェーズロックループのロックビットである、
請求項５記載のテレビジョンシステム。
【請求項７】
ビデオ信号を同調するためのチューナ、該チューナを制御するためのコントローラ、該チューナからの同調された信号を受信し、少なくとも１つの制御信号を該コントローラに供給するステージを有するテレビジョンシステムにおける使用のためのコントローラであって、該ステージはフェーズロックループを含み、該制御信号は、該フェーズロックループから生じるロック信号を含む、
ことを特徴とするコントローラ。
【請求項８】
該テレビジョンシステムは、該ステージから生じるビデオ信号を同期させ、少なくとも１つの同期信号を該コントローラに供給するための同期発生手段を有し、該コントローラは、該ロック信号に依存して、該同期信号であるか否かを考慮するためのスイッチを含む、
請求項７記載のコントローラ。
【請求項９】
ビデオ信号を同調するチューナ、及び該チューナからの同調された信号を受けるためのステージを有するテレビジョンシステムにおける使用のための方法であって、
該方法は、該ステージから生じる少なくとも１つの制御信号に応答して該チューナを制御するステップを有し、
該ステージはフェーズロックループを含み、該制御信号は該フェーズロックループから生じるロック信号を含む、
ことを特徴とする方法。
【請求項１０】
ビデオ信号を同調するためのチューナ、及び該チューナからの同調された信号を受けるためのステージを有するテレビジョンシステムでの使用のためのプロセッサプログラムプロダクトであって、
該プロセッサプログラムプロダクトは、該ステージから生じる少なくとも１つの制御信号に応答して該チューナを制御する機能を有し、
該ステージはフェーズロックループを含み、該制御信号は該フェーズロックループから生じるロック信号を含む、
ことを特徴とするプロセッサプログラムプロダクト。
【発明の詳細な説明】
【技術分野】
【０００１】
本発明は、ビデオ信号をチューニングするチューナ、該チューナを制御するコントローラ、及び同調された信号を該チューナから受け、少なくとも１つの制御信号を該コントローラに供給するステージを有するテレビジョンシステムに関する。
また、本発明は、コントローラ、テレビジョンシステムでの使用のための方法及びプログラムプロダクトに関する。
【背景技術】
【０００２】
従来技術のシステムは、US4,763,195号から知られており、ＲＦ（無線周波）信号（ビデオ信号）を同調するチューナ、該チューナを制御するマイクロプロセッサ（コントローラ）、及び該チューナから同調された信号を受け、オートマチック・ファイン・チューニング信号（少なくとも１つの制御信号）を該マイクロプロセッサ（コントローラ）に供給するＩＦ（中間周波）ステージを含むテレビジョンシステムを開示している。アクティブチャネルを識別する第一のサーチは、主要なケーブル配信ネットワークに関連する予測可能な非標準的な周波数にのみ限定され、アクティブチャネルを識別する第二のサーチは、より多くのサーチ周波数を含み、より広い周波数レンジにわたり延びている。自動プログラムモードの間、時間を最小にするために第一のサーチのみが行われる。
【発明の開示】
【発明が解決しようとする課題】
【０００３】
公知のテレビジョンシステムには問題点があり、特に、アクティブチャネルを検出するために余りに多くの時間を必要とするため、オートマチック・ファイン・チューニング信号は、ハンプの検出を含むために時間のかかる信号である。
【０００４】
本発明の目的は、特に、チャネルが（同調された周波数で）アクティブであるか否かに関する第一の指示をより迅速に得ることにある。本発明は、独立の請求項により定義されており、従属の請求項は、有利な実施の形態を定義している。
【課題を解決するための手段】
【０００５】
本発明に係るテレビジョンシステムは、ビデオ信号を同調するチューナ、及び該チューナを制御するコントローラ、及び該チューナからの同調された信号を受け、少なくとも１つの制御信号を該コントローラに供給するステージを有しており、該ステージは、フェーズロックループを含んでおり、該制御信号は、該フェーズロックループから生じるロック信号を含んでいる。
【０００６】
制御信号として該ステージにおけるフェーズロックループからのロック信号を使用することで、オートマチック・ファイン・チューニング信号よりも非常に迅速に該ロック信号を利用することができるので、（同調周波数で）チャネルがアクティブであるか否かに関する第一の指示をより迅速に得ることができる。該ロック信号が承認の値を有するケースでは、（同調周波数で）アクティブチャネルが存在する場合があり、該ロック信号が否定の値（すなわち非承認の値）を有するケースでは、（同調周波数で）アクティチャネルが存在しない。
【０００７】
なお、該コントローラを制御したとき、該コントローラは、該チューナのための動作周波数を定義するために信号を発生して該チューナに供給することが確認される。このチューナは、フェーズロックループを通常含んでいるが、このチューナのフェーズロックループは、該動作周波数でチューナ発振器をまさにロックするものである。したがって、このチューナフェーズロックループは、該チューナの後に位置される該ステージにおける該フェーズロックループとは異なり、該コントローラに該ロック信号を供給しない。実際に、該チューナフェーズロックループにおける発振器は、該コントローラにより制御される。
【０００８】
本発明に係るテレビジョンシステムの第一の実施の形態は、請求項２により定義されている。該同期ジェネレータからの同期信号を更なる制御信号として使用することで、（同調周波数で）チャネルがアクティブであるか否かに関する第二の指示を得ることができる。該コントローラは、該ロック信号に依存して、（承認の値を有する該ロック信号のケースでは）該同期信号であるか（否定の値を有する該ロック信号のケースでは）否かを考慮するためにスイッチを有している。この同期信号は、該ロック信号よりも時間を無駄にしている。（同調周波数で）アクティブチャネルが存在するか否かに関する疑いが存在する（該ロック信号が承認の値を有する）ケースでは同期信号がチェックされ、疑いが存在しない（該ロック信号が否定すなわち非承認の値を有する）ケースではチェックされないので、テレビジョンシステムは、高速チューニングを実行し、従来技術のテレビジョンシステムよりも早くアクティブチャネルを検出することができる。
【０００９】
本発明に係るテレビジョンシステムの第二の実施の形態では、請求項３により定義されている。高速チューニングモードでは、第一の指示及び可能であれば第二の指示を通して、１以上のアクティブチャネル近くの１以上の周波数が検出されるように該チューナを制御することで、高速チューニングが実行され、ファイン・チューニングモードでは、１以上のチャネル周波数が識別される。
【００１０】
本発明に係るテレビジョンシステムの第三の実施の形態は、請求項４により定義されている。ファイン・チューニング信号を更に含んでいる該制御信号を該コントローラに供給することで、たとえば、該ファイン・チューニングモードでは、全てのアクティブチャネルを識別することができる。
【００１１】
本発明に係るテレビジョンシステムの第四の実施の形態は、請求項５により定義される。該テレビジョンシステムがテレビジョン視聴者に役立つこととなる世界の一部に依存して、多数のチャネルを予め定義する周波数テーブルを使用することで、このチャネル番号を予め定義することができる。該周波数テーブルは、全ての予め定義された周波数を含むリアルテーブルであるか、又はその後の予め定義された周波数を見つけるために設けられる（可能であれば周波数バンド当たりの）１以上の周波数ステップをもつ開始の予め定義された周波数のいずれかとすることができる。
【００１２】
本発明に係るテレビジョンシステムの第五の実施の形態は、請求項６により定義されている。該ロック信号として該フェーズロックループにおける発振器入力信号の交流電流の内容から導出されるフェーズロックループのロックビットを使用することで、該ステージの集積回路の出力を介して通常利用可能なビット信号が使用される。
【００１３】
本発明に係るコントローラの実施の形態、本発明に係る方法の実施の形態、及び本発明に係るプロセッサプログラムプロダクトの実施の形態は、本発明に係るシステムの実施の形態に対応する。
【００１４】
本発明は、ファイン・チューニング信号が高速チューニングサーチを行うために厳密に必要ではない時間の無駄な信号であるという洞察に特に基づいており、中間周波数ステージにおけるフェーズロックループから生じるロック信号は、（同調周波数で）チャネルがアクティブであるか否かに関する第一の指示を与えることができるという基本的な考えに特に基づいている。
【００１５】
本発明は、（同調周波数で）チャネルがアクティブであるか否かに関する第一の指示をより迅速に得るテレビジョン受像機を提供するという問題を特に解決するものであり、特に、この第一の指示が高速チューニング及び従来のテレビジョンシステムよりも高速なアクティブチャネルの検出のための第一の基礎を形成し、該第二の指示が該高速チューニングのための更なる有利な第二の基礎を形成する点で有利である。
本発明のこれらの態様及び他の態様は、以下に記載される実施の形態を参照して明らかになるであろう。
【発明を実施するための最良の形態】
【００１６】
図１に示される本発明に係るテレビジョンシステムは、変調されたビデオ信号を受信及び増幅するアンテナ、及び増幅器１１から生じる信号を増幅及び混合する増幅器／ミキサ１２に結合される増幅器１１をもつチューナ１を有している。増幅器／ミキサ１２は、該混合のために必要なＶＣＯ１３からの第一の発振信号を受信する電圧制御発振器（ＶＣＯ）１３に結合される。ＶＣＯ１３は、分周比設定ユニット１５により定義される比によりＶＣＯ１３からの第二の発振信号を分周する分周比設定ユニット１５により制御される分周器１４に結合される。コンパレータ１６は、該分周器１４と基準発生器１７との間に位置され、分周された第二の発振信号と発生器１７から発生された基準信号とを比較する。コンパレータ１６は、制御の目的で該ＶＣＯ１３に比較信号を供給するためにＶＣＯ１３に更に結合される。
【００１７】
増幅器／ミキサ１２は、該ステージ２に同調信号を供給するために中間周波ステージ３に更に結合され、該ステージ３は、該同調信号を復調し、ビデオ信号を同期発生器４に供給する復調器３３を有し、該同調信号を受信し、ファイン・チューニング信号５２を発生するオートマチック・ファイン・チューニングユニット３２を有している。復調器３３は、ロック信号５３を含む制御信号を発生するフェーズロックループ３１により制御される。このロック信号は、たとえば、該フェーズロックループ３１における発振器入力信号の交流電流の内容から導出されるフェーズロックループのロックビットと対応する。
【００１８】
同期発生器４は、該復調器３３からの該ビデオ信号を受信し、偏向発振器４２からの発振信号を受信するピクチャ同期情報ブロック４１を有する。ブロック４１は、同期信号５４を発生する。
【００１９】
コントローラ２は、該ロック信号５３、該ファイン・チューニング信号５２、及びスイッチ２２を介して該同期信号５４を受信するプロセッサ２１を有しており、スイッチ２２は、該ロック信号５３により制御される。プロセッサ２１は、メモリ２３に結合し、チューナ１を制御するために設定ユニット１５に供給されるべき設定信号を発生する。
【００２０】
図２は、本発明に係るコントローラをソフトウェアステージのマシンの形式で例示している。第一のソフトウェアステージ６０は、ソフトウェアステージのマシンの開始に対応し、チューナ１における初期周波数の書き込みに対応する（ステージ６１に進む）。第二のソフトウェアステージ６１は、同期信号をチェックし、存在する場合には不揮発性メモリにおける対応するチャネルを記憶する（ステージ６２に進む）。第三のソフトウェアステージ６２は、ある要素により周波数をインクリメントする（最高周波数に到達した場合にステージ６４に進み、さもなければステージ６３に進む）。第四のソフトウェア６３は、ロック信号をチェックする（存在する場合にステージ６１に進み、さもなければステージ６２に進む）。第五のソフトウェアステージ６４は、ソフトウェアステージのマシンの終了に対応する。
【００２１】
図１に示されるように本発明に係るテレビジョンシステムは、たとえば以下のように図２の観点で機能する。
高速チューニングモードでは、チューナ１は、該テレビジョンシステムがテレビ視聴者に役立ちつつある世界の一部に依存して、たとえば、多数のチャネルを予め定義するためにメモリ２３に記憶される周波数テーブルを使用することで、１以上のアクティブチャネル近くの１以上の周波数が検出されるように、コントローラ２により制御される。該周波数テーブルは、ソフトウェアステージ６０，６２により示されるように、その後の予め定義された周波数を発見するために設けられるべき（可能な限り周波数バンド当たり）１以上の周波数ステップと共に開始の予め定義された周波数とすることができる。また、代替的に、該周波数テーブルは、全て定義された周波数を含むリアルテーブルである場合がある。
【００２２】
ステージ３におけるフェーズロックループ３１からのロック信号５３は、ソフトウェアステージ６３により示されるように、（同調周波数で）チャネルがアクティブであるか否かに関する第一の指示を得るため、コントローラ２のための制御信号として使用される。該クロック信号５３が承認の値を有するケースでは（ソフトウェアステージ６１に進む）、（同調周波数で）アクティブチャネルが存在する場合があるが、該ロック信号５３が否定の（すなわち非承認の）値を有するケースでは（ソフトウェアステージ６２に進む）、（同調周波数で）アクティブチャネルは存在しない。
【００２３】
該同期発生器４からの同期信号５４は、（同期周波数で）チャネルがアクティブであるか否かに関する第二の指示を得るため、更なる制御信号として使用される。コントローラ２は、該ロック信号５３に依存して、該同期信号であるか（該ロック信号５３が承認の値を有するケース）であるか、又は否か（該ロック信号５３が否定の値を有するケース）であるかを考慮するためのスイッチ２２を有している。同期信号５４が同期を示す場合、対応するチャネルは、ソフトウェアステージ６１により示されるように、（たとえばメモリ２２のような）不揮発性メモリに記憶される。（同調周波数で）アクティブチャネルが存在するか否かに関する疑いが存在するケースでは時間の無駄な同期信号がチェックされ、疑いが存在しないケースでは該同期信号がチェックされないため、テレビジョンシステムは、高速チューニングを実行し、従来技術のテレビジョンシステムよりも高速にアクティブチャネルを検出する。
【００２４】
ファイン・チューニングモードでは、チューニング１は、１以上のチャネル周波数が識別されるように（これにより、たとえば該ファイン・チューニング信号５２を使用して）、コントローラ２により制御される。
【００２５】
この高速チューニングモード及びファイン・チューニングモードに関して更に以下に説明される。たとえば１７５．２５ＭＨｚが標準的なケーブルチャネルであるとして、ケーブルチャネルが１７５．２５ＭＨｚから１７５４．２５ＭＨｚまで僅かにドリフトするケースでは、チューナ１が１７５．２５ＭＨｚに同調されるようなやり方で、チューナ１は、コントローラ２により制御される。同調周波数及びチャネル周波数が互いに２ＭＨｚ離れているケースではロック信号５３は利用可能であるので、同調周波数とチャネル周波数間の１ＭＨｚ間隔であるこのケースにおけるロック信号５３は、承認の値を得ている。高速チューニングモードでは、その後、この周波数１７５．２５ＭＨｚが最終的に記憶される。ファイン・チューニングモードにおいて、たとえば、視聴されるべきこの特定のチャネルをテレビジョン視聴者が選局するケースでは、このケースでは１７４．２５ＭＨｚである、正確なチャネル周波数が発見される。
【００２６】
本発明に係る方法及び／又は本発明に係るプロセッサプログラムプロダクトをフローチャートの形式で例示している図３では、ブロックは、以下の意味を有している。
ブロック７０：開始、ブロック７１に進む。
ブロック７１：ハイスピード（又は高速）チューニングモード、ブロック７２に進む。
ブロック７２：４８．２５ＭＨｚでチューニング開始、ブロック７３に進む。
ブロック７３：ロック信号５３は承認の値を有するか？有する場合にはブロック７４に進み、有さない場合にはブロック７５に進む。
ブロック７４：同期信号５４は承認の値を有するか？有する場合にはブロック７６に進み、有さない場合にはステップ７５に進む。
【００２７】
ブロック７５：同調周波数が３０３ＭＨｚよりも大きいか？大きい場合にはブロック７８に進み、大きくない場合にはブロック７７に進む。
ブロック７６：チャネルを記憶し、ブロック７９に進む。
ブロック７７：７ＭＨｚを同調周波数に加え、２０ｍｓの遅延、ブロック７９に進む。
ブロック７８：８ＭＨｚを同調周波数に加え、２０ｍｓの遅延、ブロック７９に進む。
ブロック７９：同調周波数が８５６ＭＨｚよりも大きいか？大きい場合にはブロック８０に進み、大きくない場合にはブロック７３に進む。
ブロック８０：通常（又はファイン）チューニングモード、ブロック８１に進む。
ブロック８１：終了。
【００２８】
図３に示されるフローチャートは、アジア太平洋地域のための例である。ブロック７０〜８１のそれぞれ（それぞれの一部）、及びそれぞれの２つのブロック７０〜８１間のそれぞれの遷移は、本発明に係る方法のための（更なる）（サブ）ステップ及び／又は本発明に係るプロセッサプログプロダクトのための（更なる）（サブ）機能である。該遅延は、ステージ３におけるフェーズロックループ３１及びチューナ１におけるフェーズロックループ１３，１４，１６，１７に安定させるための時間を与えるために導入される。
【００２９】
フェーズロックループ３１は、たとえば、フェーズロックループ１３，１４，１６，１７に従って実現することができる。チューナ１、ステージ３、同期発生器４及びコントローラ２における更なるユニット／ブロックは、たとえば、汎用のレジスタ、バッファ、フィルタ等において排除されず、より詳細には、フェーズ１コンパレータをもつフェーズ１ループ、同期発生器４における水平発振器である。
【００３０】
スイッチ２２は、ロック信号５３の値に依存して同期信号５４を考慮する可能なやり方のまさに一例であって、ゲート、ラッチ、スイッチバッファ／増幅器等のように他のやり方も排除されるべきではない。勿論、通常のスイッチ２２がプロセッサ２１に（機能的に）集積される。
【００３１】
なお、先に述べた実施の形態は、本発明を限定するよりはむしろ例示するものであって、当業者であれば、特許請求の範囲から逸脱することなしに多くの代替的な実施の形態を設計することができるであろう。請求項では、括弧間に配置される参照符号は、請求項を限定するものとして解釈されるべきではない。単語“comprising”は、請求項に列挙された構成要素又はステップ以外の構成要素又はステップの存在を排除するものではない。構成要素に先行する単語“a”又は“an”は、複数のかかる要素の存在を排除するものではない。本発明は、幾つかの本質的に異なる構成要素を含むハードウェアにより、適切にプログラムされたコンピュータにより実現することができる。幾つかの手段を列挙している装置の請求項では、これら手段の幾つかは、同一のアイテムのハードウェアにより実施することができる。所定の手段が相互に異なる従属の請求項で引用されることは、これらの手段の組み合わせを使用することができることを示している。
【００３２】
たとえば、「チューニングするための」及び「制御するための」及び「同期するための」並びに「受信するための」における表現「ための」は、他の機能の同様に、同時又は非同時に実行されることを排除しない。表現「Ｙに結合されるＸ」及び「ＸとＹとの間の結合」並びに「ＸとＹを結合／結合する」等は、構成要素ＺがＸとＹとの間にあることを排除しない。表現「ＰはＱを有する」及び「Ｑを有するＰ」等は、構成要素Ｒが同様に有される／含まれることを排除しない。用語“a”又は“an”は、１以上の構成要素の可能性のある存在を排除するものではない。
【００３３】
本発明の好適な実施の形態は、以下のように要約される。本テレビジョンシステムは、チューナ１、該チューナ１を制御するコントローラ２、該チューナ１からの同調信号を受信し、制御信号をコントローラ２に供給するステージ３を有しており、高速チューニングの間に時間の無駄であるオートマチック・ファイン・チューニング信号を使用する。制御信号としてステージ３におけるフェーズロックループ３１からのロック信号５３を使用することで、あるチャネルがアクティブであるか否かに関する指示は、オートマチック・ファイン・チューニング信号よりもロック信号が非常に高速に利用可能なであるので、非常に迅速に得ることができる。更なる同期信号として同期発生器４から同期信号５４を使用することで、更なる指示が得られる。高速同調モードでは、アクティブチャネル近くの周波数が検出され、ファイン・チューニングモードでは、チャネル周波数が識別される。基本的な考えによれば、ステージ３におけるフェーズロックループ３１から生じるロック信号は、チャネルがアクティブであるか否かに関する第一の指示を与えることができ、好ましくは及び更に有利なことに、同期信号５４に基づいた第二の指示を組み合わせることができる。
【図面の簡単な説明】
【００３４】
【図１】本発明に係るコントローラを含む本発明に係るテレビジョンシステムを形成するブロック図である。
【図２】本発明に係るコントローラをソフトウェアステージマシーンの形式で例示する図である。
【図３】本発明に係る方法及び／又は本発明に係るプロセッサプログラムプロダクトを例示するフローチャートである。
【図１】
2006502614.tif 000003
【図２】
2006502614.tif 000004
【図３】
2006502614.tif 000005
【国際調査報告】
2006502614.tif 000006
2006502614.tif 000007